(57)【要約】      （修正有）【課題】両手使用を可能にするゴム手袋を提供する。【解決手段】手のひらが挿入される部分である手の平部１１０と指が挿入される部分である指挿入部１２０とを含むゴム手袋１００において、手の平部１１０および指挿入部１２０が同一平面上に位置するように配置し、指挿入部１２０の親指の中節骨部分からその下方部分をしわになるように形成するしわ部１３０を備えて右手と左手区分なしに両手使用を可能にし、しわ部１３０は、親指の中節骨部分Ａから外側方向には手の舟状骨部分Ｂに至るまで形成し内側方向には大菱形骨部分Ｃに至るまで形成することを特徴とする。本考案によれば、しわ部を含む構成および平面型配置を通じて両手使用を可能にし、かつ両手適用による不便さなしに便利に使われるゴム手袋を提供することができる。【選択図】図１
0003206356.tif 000002
【実用新案登録請求の範囲】
【請求項１】
手のひらが挿入される部分である手の平部（１１０）と指が挿入される部分である指挿入部（１２０）とを含むゴム手袋（１００）において、
前記手の平部（１１０）および指挿入部（１２０）が同一平面上に位置するように配置し、前記指挿入部（１２０）の親指の中節骨部分からその下方部分をしわになるように形成するしわ部（１３０）を備えて右手と左手区分なしに両手使用を可能にすることを特徴とするゴム手袋。
【請求項２】
前記しわ部（１３０）は、
親指の中節骨部分（Ａ）から外側方向には手の舟状骨部分（Ｂ）に至るまで形成し、内側方向には大菱形骨部分（Ｃ）に至るまで形成することによって両手適用による不便さがないように構成することを特徴とする請求項１に記載のゴム手袋。
【請求項３】
前記しわ部（１３０）は、
しわ間ピッチを２〜５ｍｍ間隔に形成することを特徴とする請求項１または請求項２に記載のゴム手袋。
【考案の詳細な説明】
【技術分野】
【０００１】
本考案は主に家庭などで使用するゴム手袋に関し、より詳しくは、右手と左手の区分なしに両手使用を可能にし、両手適用による不便さがないようにするゴム手袋に関する。
【背景技術】
【０００２】
一般に、ゴム手袋はゴムからなる手袋であって、皿洗いや洗濯など色々な作業をするときに手を保護するのが主な用途である。
【０００３】
通常ゴム手袋は大部分が皿洗いや洗濯をするとき、洗剤から手を保護するのはもちろんお湯が用いられるようにすることで、右手用と左手用の２対を一足で使用するのが通例である。
【０００４】
付言すれば、ゴム手袋は左右でその使用が区分されており手の平にはすべりを防止するための突起が形成して食器や洗濯物が滑るのを防止している。
【０００５】
しかし、ゴム手袋はゴム材からなるもので、容易に磨耗したり破れることができるが、これによってゴム手袋の使用中にいずれか一方が破れるなど毀損が発生するとゴム手袋としての機能を喪失するようになり、このとき、破れていない状態にある他の一方も捨てなければならないので経済的側面から非常に非経済的であるだけでなく不必要に資源を浪費するという問題があり、ゴム手袋を製造するにおいても左手と右手に対する金型をそれぞれ個別に製作しなければならないので製作単価が高くなるという問題があった。
【０００６】
一方、前述のような従来のゴム手袋の問題点を解消するためのものであって、韓国登録実用新案第２０−０２１２０７３号公報においては、“一般家庭ではもちろん、飲食店厨房で皿洗いなどの作業時によく使われるゴムからなる通常のゴム手袋において、ゴム手袋の背中部分を部分切断した後、両手のひら部分を外側へ向かうようにした後、部分切断された両方の背中部分を結合する両手兼用ゴム手袋”の構成が提案および開示されている。
【先行技術文献】
【特許文献】
【０００７】
【特許文献１】韓国登録実用新案第０２１２０７３号
【考案の概要】
【考案が解決しようとする課題】
【０００８】
本考案は、上述した問題点などの解消およびこれに鑑みて案出されたものであって、右手と左手区分なしに両手使用を可能にするゴム手袋を提供することにその目的がある。
【０００９】
本考案は指挿入部および手の平部を同一平面に配置し、指挿入部の親指の中節骨以下をしわになるように形成する構成にして両手使用を可能にし、両手適用による不便さがないようにするゴム手袋を提供することにその目的がある。
【課題を解決するための手段】
【００１０】
前記の目的を達成するための本考案に係るゴム手袋は、手のひらが挿入される部分である手の平部と指が挿入される部分である指挿入部とを含むゴム手袋において、
【００１１】
前記手の平部および指挿入部が同一平面上に位置するように配置し、前記指挿入部の親指の中節骨部分から下方に外郭ラインをしわになるように形成するしわ部を備えて右手と左手区分なしに両手使用を可能にすることを特徴とする。
【００１２】
ここで、前記しわ部は、親指の中節骨部分から外側方向には手の舟状骨部分に至るまで形成し、内側方向には大菱形骨部分に至るまで形成することによって両手適用による不便さがないように構成することを特徴とする。
【００１３】
ここで、前記しわ部は、しわ間ピッチを２〜５ｍｍ間隔に形成することを特徴とする。
【考案の効果】
【００１４】
本考案によれば、両手使用を可能にし、かつ両手適用による不便さなしに便利に使われるゴム手袋を提供することができる。
【００１５】
本考案は、従来の不必要な資源の浪費を防ぐことができ、経済性を追求することができる有益な効果を提供することができる。
【図面の簡単な説明】
【００１６】
【図１】本考案の実施例に係るゴム手袋を示す斜視図
【図２】本考案の実施例に係るゴム手袋を示すものであり、ゴム手袋に挿入された手の投影状態を含む構成図
【考案を実施するための形態】
【００１７】
以下、本考案について添付した図面を参照して望ましい実施例を説明し、このような詳細な説明を通じて本考案の目的、構成およびそれに伴う特徴をよりよく理解できるだろう。
【００１８】
本考案の実施例に係るゴム手袋１００は図１および図２に示すように、手の平が挿入される部分である手の平部１１０と、前記手の平部１１０に伸びて一体形成されて５本の指がそれぞれ挿入される部分である指挿入部１２０とを含む構成からなる。
【００１９】
このとき、前記手の平部１１０と指挿入部１２０の表面にはすべり防止のための突起が突出形成され、このような突起は多様な構造からなることができる。
【００２０】
また、前記手の平部１１０および指挿入部１２０は曲線型構造ではない同一平面上に位置するように平面形状に配置し、前記指挿入部１２０の親指の中節骨部分からその下方部分をしわになるように形成するしわ部１３０を備えて右手と左手区分なしに両手使用を可能にする。
【００２１】
つまり、前記指挿入部１２０の親指部分がしわになるようにしわ部１３０を形成することによって柔軟性を与えて動きを自由にし、一字型配置および平面型配置を通じて方向性をなくすことによって内部に挿入される親指（右手または左手）によってより容易に方向性を取ることができる。
【００２２】
ここで、前記しわ部１３０は、より具体的に、親指の中節骨部分（Ａ）からその下方に形成し外側方向には手の舟状骨部分（Ｂ）に至るまで形成し、内側方向には大菱形骨部分（Ｃ）に至るまで形成することが望ましく、これによって両手適用による不便さがないように構成することができる。
【００２３】
さらに、前記しわ部１３０はしわ間ピッチを２〜５ｍｍ間隔に形成することが望ましい。
【００２４】
ここで、前記しわ部１３０に対してしわ間ピッチが２ｍｍ未満の場合にはシワ形成による柔軟性発揮が難しくて動きが不自然になって不便さを感じることができ、５ｍｍを超過する場合も柔軟性が不足して方向性を取り難くて不便さを感じることができる。
【００２５】
これによって、本考案は上述したしわ部１３０を含む構成および平面型配置を通じて両手使用を可能にし、かつ両手適用による不便さなしに便利に使われるゴム手袋を提供することができる。
【００２６】
以上のように、本考案について具体的な実施例を挙げて説明したが、本考案は本明細書に開示された実施例および添付図面によって特に限定されるものではなく、本考案の技術的な思想を逸脱しない範囲内で当業者によって多様に変形および修正が可能であることは自明である。
【符号の説明】
【００２７】
１００：ゴム手袋
１１０：手の平部
１２０：指挿入部
１３０：しわ部
Ａ：親指の中節骨部分
Ｂ：手の舟状骨部分
Ｃ：大菱形骨部分
【図１】
0003206356.tif 000003
【図２】
0003206356.tif 000004